(57)【要約】【課題】既存のホームシアターシステムは、単に従来のテレビ等と組み合わせた、簡易的システムが多く、画面が大型化して、映像と音響との融合に様々問題が多かった、プロジェクションシステム等の特に画面大型化ではこの問題は顕著であり、センタースピーカー、ウファーなどの設置等で不都合が大である、更に、個々機器の接続が煩雑で、接続ミス等問題があり、又、一度設置してしまうと、移動が困難などの様々な問題を抱えていた。【解決手段】個々必要となる全ての機器をフレーム内部に設ける事で、使用者に接続、設置等の煩わしく面倒な作業から開放する事が可能となり、キャスターで移動可能とし非常に利便性高く、商品性ある物を提供出来るのである。【選択図】図３
2008153844.tif 000002
【特許請求の範囲】
【請求項１】
スクリーンの高さと同じスピーカーボックを作り、このスピーカーボックスをスクリーンの幅外側に左右に設置して、このスピーカーボックスを充分な強度の天板と底板で連結して、スクリーンを維持するフレームを形成し、スクリーンとスピーカーシステムと融合した、サウンドスクリーンとして形成する、このサウンドスクリーンに、ホームシアターのフロント側の機能をとして必要となる左右スピーカーユニットをスピーカーボックスに取り付けスピーカーシステムを作り、このスピーカーシステムを動作させるアンプ、アンプを駆動させる電源等の電気設備をスクリーン背面に設けて、スクリーンを維持し音響再生機能を有する機能を特徴としたサウンドスクリーンシステム。    
【請求項２】
請求項１の如くスピーカーユニットを取り付けて左右のスピーカーシステムとして機能させるが、５,１チャンネルの再生時に必要となるセンター信号を再生するセンタースピーカーユニットを左右スピーカーボックス個々取り付けて、この左右２個のスピーカーでセンター信号を同時再生させ、センター信号を再生画面中心に定位させる、ただし一つのスピーカーボックスで二個のスピーカーユニットを動作させると、個々の再生音が干渉し、再生音が非常に混濁するので、左右のスピーカーボックス内部日干渉防止の仕切り板を設けて、内部において完全隔離し動作させる、多重センタースピーカーサウンドススクリーンシステム。
【請求項３】
請求項２と同じく、請求項１の如くフレーム内部に設けた電気回路で、センターセンター信号を等しく二分割し、分割されたセンター信号を左右信号に等しく合成する電気回路で、左右の信号にセンター信号が含まれた信号を合成し、その信号を背面に設けた２チャンネルのアンプと、左右のスピーカーシステムのみで動作させ、その再生音からセンター信号が画面中心に定位させる事で、センタースピーカーを不要とした完全センタースピーカーレスサウンドスクリーンシステム。
【請求項４】
請求項３のスピーカーボックスを、低音再生に有利なスピーカーボックスとして設計し、このスピーカーボックスに小型の中低音再生が可能なウーファー、個々ツイーターを加え、請求項３の如くサブウーファーも必要としない、センタースピーカー、サブウーファースピーカーレスサウンドスクリーンシステム。
【請求項５】
請求項１、２，３，４の底部フレームにキャスターを取り付け移動可能としたサウンドスクリーンシステム。
【発明の詳細な説明】
【技術分野】
【０００１】
本発明は、特にプロジェクターで映像投射して使用する、プロジェクションスクリーン関するものである。
【背景技術】
【０００２】
プロジェクションスクリーンシステムで、ＤＶＤ等ホームシアター用5,1チャンネルの多チャンネル音楽を再生する際、通常スクリーンと音楽再生の音響機器は別々に購入してシステムを構築するが、個々機器との接続、配置等の際、時として、専門的知識を必要となり、又、安易な配置をしてしまうと、音像中心と画像中心が一致せず、観賞時、この中心のずれから不自然さが生じ、十分にＤＶＤソフト等を楽しむ事が出来ない、特に、システムが大型化するほどこの現象は顕著となる、故に最善なシステムを設ける事は、一般の方には至難の技であり、手軽に良好なホームシアターを楽しむことは、現状のシステムに於いては安易ではない、設置に、専門家にシステムの設置以来をすると、製品の価格に別途費用が発生し、トータル的に高価にもなる、又、機器が煩雑に接続されているため機器の移動が自由にならず、部屋の模様替え、部屋の清掃等にも支障をきたし、以上、従来のシステムに於いては様々な問題が多々ある。
【０００３】
本サウンドスクリーンシステムは、請求項2から４の様に、ホームシアターシステムに必要とされる全機能をシステムの内部に収めた事で、電源コードをコンセトに接続するだけで即使用でき、請求項５のキャスターで移動も自由なサウンドスクリーンシステム。
【特許文献１】特許公開２００５−１７６０５３
【特許文献２】特許公開２００４−１２８５５２
【発明の開示】
【発明が解決しようとする課題】
【０００４】
DVD、衛星放送等の５，１チャンネルの再生では、電子機器間の接続が非常に煩雑かつ複雑で、この事からから接続ミスが多く、時として動作に不具合が生じ、又、各スピーカーシステムの構造上、画像再生機器と音像との中心が合わせ難く、その調整は非常に煩わしいもので、スマートなシステムは多くなかった、特に機器を接続するワイヤー、コード等が多いことで、機器周辺の清掃時の引っ掛け事故等でコード類が外れシステムの異常動作の原因となることが多く、更に、外れたコード類を再度接続することは、一般の方には、コード類が多い事から的確な再配線は非常に困難なであり、再構築に専門家を必要とする事が多々発生する等して、気軽な機器でなかった。
【課題を解決するための手段】
【０００５】
本発明は請求項１から４の如く、左右に必要となるスピーカーボックスの上面、底面を天板と底板で結合してスクリーンを維持する機能を持たせ、必要となる個々スピーカーをスピーカーボックスに取り付け、スクリーン背面に各スピーカーを駆動させるアンプ、アンプを動作させる電源を装備してサウンドスクリーンシステムを形成する、請求項２の様に、左右スピーカーボックスに個々センター信号を再生するスピーカーユニットを設ける方式と、請求項３、４の様に、センター信号を電子回路で分割、合成し、その信号を再生する事でセンター再生を行うサウンドスクリーンシステムである。
【０００６】
解決手段その１、請求項２の方式は、通常のセンター信号を再生するセンタースピーカーを使用せず、左右のスピーカーボックス内に個々センター信号を再生するセンタースピーカーユニットを設け、この２個のセンタースピーカーは装置内部で直列接続されてセンター信号を再生する。しかし直列接続する事で、電気的に一つのスピーカーとなるがボイスコイルの電気抵抗値は2倍になり、再生される音響音圧は一個の時の半分と成ってしまい、左右のスピーカーユニットから再生される音圧より小さいので、センター信号は画面中心奥に位置しその再生音は不自然と成ってしまう、そこで、左右スピーカーユニットのボイスコイルの電気抵抗が半分のスピーカーユニット使用して直列接続使用する事で、左右のスピーカーユニットと同じになり、視覚的には存在しないが、聴感状センター信号はスクリーン中心に定位する、しかし、単にセンター信号再生スピーカーユニットを左右のスピーカーボックス内に取り付けると、個々個々のスピーカーからの再生音が干渉し再生音が混濁し、歪んだ音となり、音像定位が非常に曖昧に成るので、個々のスピーカーの再生音が互いに影響しないように、スピーカーボックス内部水平方向中心に、個々のスピーカーが完全に遮蔽させ、独立動作するように仕切り板を設ける、仕切る事で、再生音は個々明快に分離して、センター信号は画面中心に定位する再生することが出来る、多重センタースピーカーサウンドスクリーンシステム。
【０００７】
解決手段その２、請求項３の様に、サウンドスクリーン内部に設けた電子回路でセンター信号を二分割し、分割された信号を、左右の信号とセンター信号のゲインが等しい信号を合成し、このセンター信号が含まれた左右信号を左右のアンプで増幅し、左右スピーカーより再生する事で、センター信号は、スクリーン中心に定位して再生され、２チャンネルの再生装置で、３チャンネル再生を可能とするセンタースピーカーレス、サウンドスクリーシステム。
【０００８】
請求項２，３の様に、サブウファースピーカーに於いても同様で、現在までのシステムに於いては、誠に適当と言える位置に設置していた、確かに、低音域は音響的に指向性が鈍く、設置位置を厳密にしなくてもよいとされてきたが、現在市場に多く出回っている機器は、コンパクトを主張するあまり、フロント左右、リヤー左右のスピーカーボックスが非常に小型であるため、低音再生が不可能となり、不足する低音を便宜的にサブウーファーを用いて補正している、このサブウーファー方式が問題で、個々のスピーカーボックスがあまりにも小型であるために、低音だけでなく中低域の低い周波数も再生出来ず、この不足する中低域をも安易にサブウーファーより再生させてしまうので、サブウーファーから音像定位に関係する周波数が再生される時があり、音像定位が曖昧になり、時折、サブウーファーから、再生すべきでない音も漏れ聞こえる事があり、この音を耳にすると非常に下劣な気分になり電源を切りたくなる。
【０００９】
解決手段その３、前記したように、DVD等の信号成分からすると、フロント左右のスピーカーシステムより充分な低音再生が出来ればサブウーファーは、不必要となる、この再生には、請求項４の様に小型でも充分な中低音再生が可能なスピーカーシステムを設ければウーファー機能は満足出来る、そこで、本サウンドスクリーンシステムでは、小型であっても充分な低音再生が可能なスピーカーユニットと、そのユニットの機能が充分に動作するスピーカーボックスを設計し、スクリーン左右に設けて迫力ある低音再生を行う、しかし、安易に低音を豊かにしてしまうと、高音が希薄に成りやすいので、高音域を再生するツイーターを付加し音全体のバランスを整え、より高音質なシステムとする、又、このスピーカーボックスは構造上、スピーカーユニットが左右スピーカーボックス外より中心に位置するので、スクリーンの音像中心と、スピーカーシステムの音像中心を合致させる事が容易に出来て好都合である、又、スピーカーボックス内側半分を図３の様に、スクリーンの背面に隠す事で、システム全体のサイズをコンパクトに出来るセンタースピーカーレス、サブウーファーレス、サンドスクリーシステムである。
【００１０】
既存のシステムは大概半固定であるのに対し本システムは、請求項２から４のサウンドスクリーンシステムの底部に強固な移動用キャスターを設けることで、自由に移動も可能なサウンドスクリーンシステムである。
【発明の効果】
【００１１】
本サウンドスクリ−ンシステムは、前記の如く、サブウーファー、センタースピーカー、全ての配線材コード類がシステム内部に設けられているので、外部に煩わしいコード類が存在しない、この配線材、コード類の排除と移動用キャスターから、自由に移動出来る事から、従来製品では考えられない、視聴場所の制約が無い、ライフスタイルにタイムリーにホームシアターを楽しめる、優れたシステムで、以上の機能から、販売などに際しての簡便化、更に、販売後、ユーザーの不注意な使用から発生するトラブルの軽減化等、商品としても高機能でもある。
【実施例１】
【００１２】
請求項２の様に、図１の１天板下部に、図１の６、７の仕切り板が内部に取り付けられた、図１の２、３の左右のスピーカーボクスを取り付け、このスピーカーボックスに図１の４、５、８、９の各スピーカーユニットを設置してスピーカーシステムとし、この左右のスピーカーボックス底部に図１の１１の底板を取り付け、この底板に図１の１０のアンプと電源を取り付け、底板の下部に図１２、１３のキャスターを取り付けて、多重センタースピーカー、サウンドスクリーンを完成させる。
【実施例２】
【００１３】
請求項３の様に、図２の１４の天板の下に図２の１５、１６の左右のスピーカーボックスを取り付け、このスピーカーボクスに図２の１７、１８の各スピーカーユニットを設置してスピーカーシステムとし、このスピーカーボックスの底部に図２の２０の底板を取り付け、この底板に図２の１９のアンプと電源を取り付け、底板の底部に図２の２１、２２のキャスターを取り付けてセンタースピーカーレス、サウンドスクリーンを完成させる。
【実施例３】
【００１４】
請求項４の様に、図３の２３の天板の下に図３の２４,２５の左右のスピーカーボックスを取り付け、このスピーカーボックスに図３の２６、２７、２８、２９の各スピーカーユニット設置してスピーカーシステムとし、このスピーカーボックスの底部に図３の３１の底板を取り付け、図３の３０のアンプと電源を取り付け、底板の底部に図３の３２、３３のキャスターを取り付けてセンタースピーカー、サブウーファーレス、サウンドスクリーンを完成させる。
【実施例４】
【００１５】
請求項３、４のセンタースピーカーレスシステムに使用する電子回路について、図４により説明する、図４の３９のセンター入力端子に入力されたセンター信号を図４の４０、４１の干渉防止センターバッファーアンプで信号を２分割し、図４の３４、４６の左右入力端子に入力され、図４の３５,４７の干渉防止左右バッファーアンプを通過した信号を、図４の３６，４１，４３，４８の各合成抵抗で、センター信号が左右信号に等しく合成された２チャンネルの信号作り出し、この信号をサウンドスクリーンシステムに設けたアンプで増幅しサウンドスクリーンシステム左右のスピーカーより再生する事で、２チャンネルの再生で、センター信号を再生するアンプ、スピーカーが存在しないのであるが、以上の回路によりセンター信号が画面の中心より再生される。
【産業上の利用可能性】
【００１６】
通常スクリーンを鉛直方向左右に維持するために何等かのフレーム状の器具でスクリーンを維持している、本サウンドスクリーンシステムは、このフレームを拡大解釈する事により、新たな機能物として完成させた、この機能は様々な発想に繋がり、次元での利用が可能となる。
【図面の簡単な説明】
【００１７】
【図１】多重センタースピーカーサウンドスクリーンシステム前面図である。
【図２】電子回路によるセンター信号分割、センター信号左右合成センタースピーカーレス、サウンドスクリーンシステムの前面図である。
【図３】本発明のサブウーファーレス、センタースピーカーレス、サウンドスクリーンシステムの前面図である。
【図４】本発明の電子回路概略図である。
【符号の説明】
【００１８】
１―天板、2―左スピーカーボックス、３―右スピーカーボックス、４―左スピーカーユニット、５―右スピーカーユニット、６―仕切り板、７―右仕切り板、８―左センタースピーカーユニット、9―左センタースピーカーユニット、10―アンプ及び電源、１１―底板、1２―キャスター、１３―キャスター、１４―天板、１５―左スピーカーボックス、１６―右スピーカーボックス、１７―左スピーカーユニット、１８―右スピーカーユニット、１９―アンプ及び電源、２０―底板、２１―キャスター、2２―キャスター、２３―天板、２４―左スピーカーボックス、２５―右スピーカーボックス、２６―左ツイーター、２７―右ツイーター、２８―右ウーファー、２９―左ウーファー、３０―アンプ及び電源、３１―底板、３２―キャスター、３３―キャスター、３４―左入力端子、３５―左バッファーアンプ、３６―左合成干渉防止抵抗、３７―左プリアンプ、３８―左出力端子、３９―センター入力端子、４０―センターバッファーアンプ、４１―センター合成干渉防止抵抗、４２―センターバッファーアンプ、４３―合成干渉防止抵抗、    ４４―右プリアンプ、４５―右出力端子、４６―右入力端子、４７―右バッファーアンプ、４８―右合成干渉防止抵抗。
４８―右出力端。
【図１】
2008153844.tif 000003
【図２】
2008153844.tif 000004
【図３】
2008153844.tif 000005
【図４】
2008153844.tif 000006